(57)【要約】  【課題】      集塵容器に形成された排気開口を閉成する集塵フィルタに付着した塵埃を容易に除去することができる電気掃除機を提供すること。  【解決手段】  電動送風機２４を内蔵した掃除機本体１１と、この掃除機本体１１に着脱自在に装着されると共に電動送風機２４によって吸い込まれた塵埃を蓄積する集塵ケース部（集塵容器）７４とを備え、集塵ケース部７４の上下方向に延びる左側壁部（一側面）７４Ａに、ネットフィルタ（集塵フィルタ）ＮＦ３によって閉成された接続開口（排気開口）７５が形成された電気掃除機１０であって、集塵ケース部７４は、上下方向に延び且つネットフィルタＮＦ３に対向する分割面Ｘによってケース部（第一集塵容器部）１７４と蓋体（第二集塵容器部）７７とに分割され、ネットフィルタＮＦ３はケース部１７４に設けられ、蓋体７７は上下方向の一方の端部がケース部１７４にヒンジ結合されている。【選択図】  図１１
2007054453.tif 000002
【特許請求の範囲】
【請求項１】
電動送風機を内蔵した掃除機本体と、該掃除機本体に着脱自在に装着されると共に前記電動送風機によって吸い込まれた塵埃を蓄積する集塵容器とを備え、該集塵容器の上下方向に延びる一側面に、集塵フィルタによって閉成された排気開口が形成された電気掃除機であって、
前記集塵容器は、上下方向に延び且つ前記集塵フィルタに対向する分割面によって第一集塵容器部と第二集塵容器部とに分割され、
前記集塵フィルタは前記第一集塵容器部に設けられ、前記第二集塵容器部は上下方向の一方の端部が前記第一集塵容器部にヒンジ結合されていることを特徴とする電気掃除機。
【請求項２】
請求項１に記載の電気掃除機において、前記分割面は前記集塵フィルタ近傍に位置し、前記第二集塵容器部の他側面と前記分割面との間隔は、前記第一集塵容器部の一側面と前記分割面との間隔よりも大きいことを特徴とする電気掃除機。
【請求項３】
請求項１及び２に記載の電気掃除機において、前記第二集塵容器部の前記分割面と交差する側面には、突起が設けられたことを特徴とする電気掃除機。
【請求項４】
請求項３に記載の電気掃除機において、前記突起は、上下方向に沿って延びていることを特徴とする電気掃除機。
【発明の詳細な説明】
【技術分野】
【０００１】
本発明は、電動送風機を内蔵した掃除機本体に着脱自在に装着される集塵容器を備えた電気掃除機に関するものである。
【背景技術】
【０００２】
従来から、掃除機本体に着脱可能に設けられた集塵容器を備え、この集塵容器の上下方向に延びる一側面に集塵フィルタによって閉成された排気開口が形成された電気掃除機が知られている（例えば、特許文献１参照）。
【０００３】
この集塵容器は、底部に蓋体が開閉可能に取り付けられており、この蓋体を開けることにより集塵容器内に蓄積された塵埃が捨てられるようになっている。
【特許文献１】特開２００５−２７８８０
【発明の開示】
【発明が解決しようとする課題】
【０００４】
ところで、上述の電気掃除機では、集塵フィルタに付着した塵埃が、集塵容器内に蓄積した塵埃を捨てる際にも除去できずに残ってしまうことがあった。
【０００５】
そのため、この集塵フィルタに付着した塵埃を除去するために、底部から集塵容器内に手やブラシ等を挿入して付着した塵埃を掻き出さなければならず、手間がかかるという問題が生じていた。
【０００６】
さらに、集塵フィルタが集塵容器の底部から立ち上がった一側面に設けられているために、付着した塵埃を掻き出しにくく、この集塵フィルタに付着した塵埃を容易に除去することができないという問題も生じていた。
【０００７】
そこで、この発明は、集塵容器に形成された排気開口を閉成する集塵フィルタに付着した塵埃を容易に除去することができる電気掃除機を提供することを課題としている。
【課題を解決するための手段】
【０００８】
上記課題を解決するために、この発明は、電動送風機を内蔵した掃除機本体と、該掃除機本体に着脱自在に装着されると共に前記電動送風機によって吸い込まれた塵埃を蓄積する集塵容器とを備え、該集塵容器の上下方向に延びる一側面に、集塵フィルタによって閉成された排気開口が形成された電気掃除機であって、前記集塵容器は、上下方向に延び且つ前記集塵フィルタに対向する分割面によって第一集塵容器部と第二集塵容器部とに分割され、前記集塵フィルタは前記第一集塵容器部に設けられ、前記第二集塵容器部は上下方向の一方の端部が前記第一集塵容器部にヒンジ結合されていることを特徴としている。
【発明の効果】
【０００９】
本発明の電気掃除機によれば、分割面を境に第一集塵容器部と第二集塵容器部とに分割して集塵容器内に蓄積された塵埃を廃棄する際に、第二集塵容器部がヒンジ結合された端部を中心に回動することとなる。
【００１０】
そして、第二集塵容器部が離間することで、この第二集塵容器部の内側に付着した塵埃によって集塵フィルタに付着した塵埃が引っ張られ、集塵フィルタから剥離する。これにより、集塵フィルタに付着した塵埃を容易に除去することが可能となる。
【００１１】
さらに、集塵フィルタが設けられた集塵容器の一側面と、分割面とがそれぞれ上下方向に延びると共に、集塵フィルタと分割面とが対向しているので、集塵フィルタが塵埃を廃棄する開口のほぼ正面に位置することができる。
【００１２】
そのため、集塵フィルタに付着した塵埃を掻き出しやすくなり、この集塵フィルタに付着した塵埃をさらに容易に除去することができる。
【発明を実施するための最良の形態】
【００１３】
以下、この発明に係る電気掃除機の実施の形態である実施例を図面に基づいて説明する。
［構  成］
図１に示す電気掃除機１０は、掃除機本体１１と、この掃除機本体１１の接続口１１Ａに一端が着脱自在に接続されその他端には手元操作管１３が設けられている集塵ホース１２と、手元操作管１３に着脱自在に接続した延長管１４と、延長管１４の先端部に着脱自在に接続された吸込口体１５とを備えている。手元操作管１３には操作部１３Ａが設けられており、この操作部１３Ａには複数の操作スイッチ１３ａが設けられている。
【００１４】
吸込口体１５には、その底面に塵埃を吸引する図示しない吸込開口（塵埃吸込口）を形成した吸込室（図示せず）が形成されており、この吸込室は延長管１４及び集塵ホース１２を介して掃除機本体１１内に設けた集塵ユニット５０（図６参照）の吸込接続口５７ａに連通している。
【００１５】
掃除機本体１１は、本体ケース２０と、本体ケース２０内に装着された集塵ユニット５０（図６参照）と、後述する電動送風機２４とを備えている。
【００１６】
本体ケース２０の前側には、図２ないし図５に示すように、集塵ユニット室（装着部）２２が形成されており、この集塵ユニット室２２には集塵ユニット５０の後述する塵埃分離ユニット４００と集塵部ユニット４１０とが着脱自在に装着されるようになっている。
【００１７】
なお、塵埃分離ユニット４００及び集塵部ユニット４１０を集塵ユニット室２２内に装着すると、それぞれ図示しない係止手段によって係止され、塵埃分離ユニット４００及び集塵部ユニット４１０と本体ケース２０とが固定される。
【００１８】
そして、本体ケース２０の前端部には、集塵部ユニット４１０と本体ケース２０との係止を解除するレバーＲ（図２参照）が設けられ、本体ケース２０の集塵ユニット室２２内には、塵埃分離ユニット４００と本体ケース２０との係止を解除する図示しないレバーが設けられている。
【００１９】
集塵ユニット室２２の上部には開口２３が形成され（図３参照）、この開口２３は図２に示すように蓋ケース２１Ａ、２１Ｂによって閉鎖されている。また、本体ケース２０の後側には電動送風機２４が設けられており、この電動送風機２４の前側（図２において右側）に前面開口２５Ｂを有する円筒状の接続風路部２５が形成され、この接続風路部２５内には格子部材２５Ｋが配置されており、前面開口２５Ｂにはシール部材２７が装着されている。接続風路部２５の後壁２５Ａには接続開口２５ｂが形成されており、この接続開口２５ｂと電動送風機２４の吸込開口２４Ａとが連通している。
【００２０】
集塵ユニット室２２には、図３ないし図５に示すように、駆動ギア（第１伝達手段）Ｇａと、この駆動ギアＧａを回転させる駆動モータ（駆動手段）Ｍとが設けられている。
【００２１】
集塵ユニット５０は、図６ないし図８に示すように、塵埃分離ユニット４００と集塵部ユニット４１０とを備えている。
【００２２】
塵埃分離ユニット４００は、塵埃分離部５２と、塵埃分離部５２と一体となっているフィルタ部８０と、このフィルタ部８０の上に設けた蓋ケース２１Ａとから構成されている。
【００２３】
塵埃分離部５２は、外周壁５３によって円筒状に形成された分離室部５４と、この分離室部５４内に分離室部５４の軸線に沿って設けられたほぼ円錐形状の塵埃分離手段５５と、分離室部５４の右側壁５４Ａ（図９参照）の外側に設けた吸引風路部５６と、吸込接続口５７ａ（図６参照）から分離室部５４へ空気を案内する案内風路管５７とを有している。吸込接続口５７ａは、塵埃分離ユニット４００が掃除機本体１１の集塵ユニット室２２に装着されると、掃除機本体１１の接続口１１Ａに連通されるようになっている。
【００２４】
分離室部５４の外周壁５３の上部には、図７に示すように、空気から分離された塵埃を集塵部７０へ排出する導入開口５３Ａと、排出開口８４Ｋ（図１０参照）から排出された塵埃を分離室部５４へ導入する導入孔１５３Ｂとが形成されている。
【００２５】
また、分離室部５４の右側壁５４Ａには、図９及び図１０に示すように、円形の開口１５４Ａと扇状の開口１５４Ｂとが形成され、開口１５４Ａには塵埃分離手段５５が取り付けられており、開口１５４ＢにはネットフィルタＮＦ２が取り付けられている。また、右側壁５４Ａには接続開口５４Ａａが形成され、この接続開口５４Ａａには案内風路管５７が接続されており、分離室部５４と案内風路管５７とが連通している。
【００２６】
分離室部５４の左側面（図７において）は開口されており、この開口５４Ｂａ（図９参照）には蓋５８（図８参照）が着脱自在に装着されている。
【００２７】
塵埃分離手段５５は、図１０に示すように、円板５５ａと、リング枠５５ｂと、円板５５ａとリング枠５５ｂとを連結した複数の連結枠５５ｃと、連結枠５５ｃの周囲に貼り付けたネットフィルタＮＦ１とから構成されている。
【００２８】
そして、吸引風路部５６は、右側壁５４Ａの開口１５４Ａ及びネットフィルタＮＦ１を介して分離室部５４内に連通すると共に、右側壁５４Ａの開口１５４ＢのネットフィルタＮＦ２を介して分離室部５４内に連通している（図９参照）。
【００２９】
さらに、この吸引風路部５６は、後述するフィルタ部８０の収納ケース８１内に連通していると共に、その右側壁部１５６（図７参照）に形成した接続開口５６Ａを介して後述する集塵ケース部７４の集塵室７３に連通している。
【００３０】
案内風路管５７は、分離室部５４の接続開口５４Ａａから分離室部５４内へ導入される空気を図９及び図１０の矢印に示すように反時計回りに回転させるようになっている。
【００３１】
そして、集塵部ユニット４１０は、集塵部７０と、この集塵部７０の上に設けられた蓋ケース２１Ｂとから構成されている。
【００３２】
集塵部７０は、図１１及び図１２に示すように、左右方向に延びた連通路７１（図７参照）を形成した連通ケース部７２と、この連通ケース部７２の右端部に連通して下方に延びると共に塵埃を蓄積する集塵室７３（図７参照）を形成した集塵ケース部（集塵容器）７４とを有している。
【００３３】
連通ケース部７２の左端部近傍の下面には開口７２Ａが形成され、この開口７２Ａは図７に示すように塵埃分離部５２の導入開口５３Ａに接続されている。
【００３４】
また、集塵ケース部７４の上下方向に延びる一側面である左側壁部７４Ａには、接続開口（排気開口）７５が形成されており、この接続開口７５にはネットフィルタ（集塵フィルタ）ＮＦ３が取り付けられ閉成されている（図１３参照）。
【００３５】
このネットフィルタＮＦ３の外側であって、ネットフィルタＮＦ３から所定距離離間した位置には、図１２に示すように、カバー板１７０が取り付けられている。なお、このカバー板１７０は左側壁部７４Ａの外側に固定されている。
【００３６】
そして、このカバー板１７０の下部には開口１７０Ａが形成され、ネットフィルタＮＦ３の上部が所定距離離間した位置からカバー板１７０によって覆われている（図７参照）。
【００３７】
カバー板１７０の開口１７０Ａは、図７に示すように吸引風路部５６の接続開口５６Ａに接続されている。
【００３８】
ここで、集塵ケース部７４は、上下方向に延び且つネットフィルタＮＦ３に対向する分割面Ｘ（図７参照）によって、右側面が開口した第一集塵容器部であるケース部１７４（図１３参照）と、このケース部１７４の右側面の開口７６に開閉自在に取り付けられた第二集塵容器部である蓋体７７（図１４参照）とに分割される。
【００３９】
ケース部１７４は、図１３に示すように、ネットフィルタＮＦ３が取り付けられた左側壁部７４Ａと、この左側壁部７４Ａの周囲を取り囲むと共に連通ケース部７２と一体になった周壁部７４Ｂとを有している。
【００４０】
また、蓋体７７は、図１４に示すように、底壁部７７Ａと、この底壁部７７Ａの前後端のそれぞれから上方に延在された側壁部７７Ｂ、７７Ｃと、この側壁部７７Ｂ、７７Ｃの上部間に架け渡された上壁部７７Ｄと、これら底壁部７７Ａ、側壁部７７Ｂ、７７Ｃ、上壁部７７Ｄで囲まれた蓋板部７７Ｅとを有している。
【００４１】
そして、蓋体７７の底壁部７７Ａには、図１４に示すようにケース部１７４側へ延びたアーム部７７Ｍが形成され、このアーム部７７Ｍに軸部７７Ｊが設けられており、この軸部７７Ｊがケース部１７４の底部に設けた軸受部７８に回動自在に保持されている。つまり、蓋体７７は、下方の端部である底壁部７７Ａがケース部１７４にヒンジ結合されている。
【００４２】
そして、この軸部７７Ｊを中心にして蓋体７７が回動することにより、集塵ケース部７４の開口７６が開閉されるようになっている。
【００４３】
一方、上壁部７７Ｄの上面には図示しないフックが形成され、このフックが蓋体７７の係止部（図示せず）に係止することにより蓋体７７が開かないようになっている。そして、図１５に示すように、集塵部７０の蓋ケース２１Ｂに設けた解除ボタン２１Ｂａを操作すると、そのフックの係止が解除される。なお、このとき蓋体７７を下側にすることにより、蓋体７７は自重により軸部７７Ｊ回りに回動して開成する。
【００４４】
また、蓋体７７の分割面Ｘと交差する面である側壁部７７Ｂ、７７Ｃの内面側には、図１４に示すように上下方向に沿って延びる突起Ｔが設けられている。この突起Ｔは、蓋体７７の底壁部７７Ａから上壁部７７Ｄに至るまで延在されている。ここで、図１４には側壁部７７Ｃに設けられた突起Ｔのみを示しているが、側壁部７７Ｂにも同様の突起が設けられている。
【００４５】
さらに、蓋体７７の側壁部７７Ｂ、７７Ｃの左右方向の幅は、ケース部１７４の左右方向の幅よりも大きくなっており、この蓋体７７の左右方向の幅は集塵ケース部７４の左右方向の幅の１／２以上に設定されている。
【００４６】
つまり、ケース部１７４と蓋体７７とを分割する分割面Ｘは、ネットフィルタＮＦ３の近傍に位置し、蓋体７７の他側面である蓋板部７７Ｅと分割面Ｘとの間隔は、ケース部１７４の一側面である左側壁部７４Ａと分割面Ｘとの間隔よりも大きくなっている。
【００４７】
そして、塵埃分離ユニット４００を装着した掃除機本体１１の集塵ユニット室２２に集塵部ユニット４１０を装着すると、図７に示すように集塵部ユニット４１０の開口７２Ａに塵埃分離部５２の導入開口５３Ａが接続され、集塵部ユニット４１０のカバー板１７０の開口１７０Ａが塵埃分離ユニット４００の吸引風路部５６の接続開口５６Ａに接続されるようになっている。
【００４８】
フィルタ部８０は、後面（図８において左側面）が開口されると共に円筒状の収納ケース８１と、この収納ケース８１内に回転自在に取り付けられたプリーツフィルタ体（二次フィルタ）１００と、このプリーツフィルタ体１００と一体に回転していく掃出体３００（図１６参照）とを有している。さらに、収納ケース８１の前壁部（区画壁）８４の前面（図６において右側）には塵埃分離部５２が一体に形成され、収納ケース８１内がフィルタ室１８１となっている（図１０参照）。
【００４９】
収納ケース８１の前壁部８４には、図１６に示すように、接続開口８４Ａと上部に塵埃を排出する排出開口８４Ｋとが形成され、接続開口８４Ａが吸引風路部５６（図７参照）に接続されている。そして、この接続開口８４Ａを介して収納ケース８１内と吸引風路部５６とが連通している。
【００５０】
排出開口８４Ｋは、図１０に示すように、閉塞蓋４５０により閉塞され、この閉塞蓋４５０はスプリング４０１により後方（図１０において左方）へ付勢されている。また、閉塞蓋４５０はスプリング４０１の付勢力に抗して前方（右方）へ移動可能となっており、前方へ移動することにより排出開口８４Ｋが開成される。閉塞蓋４５０には突起４５０Ａが設けられており、この突起４５０Ａが排出開口８４Ｋから収納ケース８１内へ突出している。
【００５１】
排出開口８４Ｋは、連通部材４０３によって塵埃分離部５２の導入孔１５３Ｂに連通されている。
【００５２】
また、図２に示すように、前壁部８４の接続開口８４Ａの近傍には、互いに所定間隔を隔てた一対の突起８８が設けられており、後述するプリーツフィルタ１０４の山部１０４Ａ（上流側に対しての山部）の突出部１０４Ａｂに当接するようになっている。また、前壁部８４の中心部には図１６に示すように軸８４Ｊが形成されている。
【００５３】
収納ケース８１の内周壁面は、プリーツフィルタ１０４から落とされた塵埃を受ける塵埃受部８６となっている。
【００５４】
プリーツフィルタ体１００は、図１７に示すように、筒状の枠体１０１と、この枠体１０１の中心位置に設けた軸部１０１Ａと、この軸部１０１Ａから放射状にプリーツを形成するための複数のプリーツ骨１０２、１０３と、このプリーツ骨１０２、１０３に貼られて形成されたフィルタであるプリーツフィルタ１０４とを有している。
【００５５】
軸部１０１Ａの軸穴１０１Ａａには、図２に示すように、前壁部８４の軸８４Ｊが相対的に回転自在に挿入され、プリーツフィルタ体１００は軸８４Ｊを中心にして回転していくようになっている。
【００５６】
枠体１０１の後端に、図１７に示すように長さの短い円筒部１１０が形成され、この円筒部１１０の外周面に図１８に示すように周方向に沿って径の小さい３つの小径部１１０Ａが等間隔に形成されている。そして、その小径部１１０Ａと小径部１１０Ａとの間が大径部１１０Ｂとなっている。
【００５７】
この小径部１１０Ａや大径部１１０ＢはマイクロスイッチＳ１により検知するものであり、このマイクロスイッチＳ１（図示せず）は掃除機本体１１の集塵ユニット室２２内に設けられている。この実施例では、例えば大径部１１０Ｂを検知しているときマイクロスイッチＳ１はオンし、小径部１１０Ａを検知しているときオフするようになっている。
【００５８】
円筒部１１０の後端面にはギア１０７が形成され、このギア１０７及び円筒部１１０は収納ケース８１から外へ突出しており、このギア１０７は掃除機本体１１の集塵ユニット室２２の駆動ギアＧａに噛合し、モータＭの駆動によりプリーツフィルタ体１００が収納ケース８１内で回転していくようになっている。
【００５９】
そして、塵埃分離ユニット４００を掃除機本体１１の集塵ユニット室２２に装着するとギア１０７が駆動ギアＧａに噛合され、その集塵ユニット室２２から塵埃分離ユニット４００を持ち上げると、ギア１０７は駆動ギアＧａから外れて、塵埃分離ユニット４００は集塵ユニット室２２から簡単に取り外せるようになっている。
【００６０】
掃出体３００は、図１９及び図２０に示すように、プリーツフィルタ体１００の軸部１０１Ａに嵌合されてその軸部１０１Ａと一体に回転していく軸部３０１と、この軸部３０１から径方向に延びた３つのアーム３０２と、このアーム３０２の先端部に設けられた掃出部材３０３とを有している。なお、図２０では２つの掃出部材３０３は省略してある。
【００６１】
掃出部材３０３は、収納ケース８１の塵埃受部８６の内壁面を摺接してその塵埃受部８６に溜まっている塵埃を掻き上げていく第１摺接部３０３Ａと、収納ケース８１の前壁部８４上を摺接する第２摺接部３０３Ｂと、第１摺接部３０３Ａで掻き上げた塵埃を排出開口８４Ｋへ落とす傾斜面（ガイド傾斜面）３０３Ｃが形成されている。
【００６２】
掃出体３００は、プリーツフィルタ体１００が回転していくことにより回転していき、この回転により掃出部材３０３は図１６に示す収納ケース８１の塵埃受部８６の内周面に沿ってその内周面及び前壁部８４を摺接移動していく。この摺接移動により、掃出部材３０３が塵埃受部８６に溜まった塵埃を排出開口８４Ｋへ押し上げていくようになっている。
【００６３】
掃出部材３０３が排出開口８４Ｋの位置に移動してくると、掃出部材３０３が閉塞蓋４５０の突起４５０Ａを押圧して閉塞蓋４５０をスプリング４０１の付勢力に抗して前方へ移動させて、排出開口８４Ｋを開成させる。
【００６４】
プリーツフィルタ体１００が回転して、掃出部材３０３が図１６に示す位置にくると、マイクロスイッチＳ１がオンからオフに切り替わるように、すなわちマイクロスイッチＳ１がプリーツフィルタ体１００の円筒部１１０の大径部１１０Ｂの検知から小径部１１０Ａの検知へと切り替わるように、マイクロスイッチＳ１の取り付け位置と、プリーツフィルタ体１００に対する掃出体３００の取り付け位置が設定されている。
【００６５】
そして、掃出部材３０３が図１６に示す位置にきたとき、排出開口８４Ｋは閉塞蓋４５０により閉塞されるようになっている。
【００６６】
また、塵埃分離ユニット４００を掃除機本体１１の集塵ユニット室２２に装着すると、掃除機本体１１の接続風路部２５の前面開口２５Ｂにシール部材２７を介して塵埃分離ユニット４００の収納ケース８１の後端面が接合され、収納ケース８１内と電動送風機２４の吸込開口２４Ａとが接続風路部２５を介して連通される。
【００６７】
図２１はこの電気掃除機の制御系の構成を示したブロック図である。図２１において、２００は操作部１３Ａの操作スイッチ１３ａ（図１参照）の操作やマイクロスイッチＳ１の検知信号に基づいて電動送風機２４やモータＭを制御する制御装置である。
［動  作］
次に、上記のように構成される電気掃除機の動作について説明する。
【００６８】
先ず、図２に示すように、集塵ユニット５０を掃除機本体１１の集塵ユニット室２２に装着し、図１に示すように集塵ホース１２を掃除機本体１１の接続口１１Ａに接続すると共に手元操作管１３に延長管１４を介して吸込口体１５を接続する。
【００６９】
そして、図示しない電源プラグをコンセントに接続する。この接続により制御装置２００がモータＭを駆動させて、フィルタ部８０のプリーツフィルタ体１００を回転させていく。プリーツフィルタ体１００の回転と共に掃出体３００が回転していき、掃出体３００の掃出部材３０３は、その第１摺接部３０３Ａが塵埃受部８６の周面上を摺接移動してその塵埃受部８６に溜まっている塵埃を周面に沿って上に押し上げていく。
【００７０】
このように、掃出部材３０３は回転移動により塵埃を塵埃受部８６に沿って排出開口８４Ｋへ押し上げていくので、その押し上げは簡単な構造で行うことができる。また、掃出体３００はプリーツフィルタ体１００の回転によって回転するので、駆動源は１つでよく、掃出体３００用の専用のモータは不要となる。
【００７１】
そして、掃出部材３０３が排出開口８４Ｋの位置にくると、図２２に示すように、掃出部材３０３の第２摺接部３０３Ｂが閉塞蓋４５０の突起４５０Ａを押圧するので、閉塞蓋４５０が開成する。
【００７２】
一方、掃出部材３０３の第１摺接部３０３Ａで掻き上げられた塵埃は、掃出部材３０３の側面３０３Ｄを介して傾斜面３０３Ｃに落とされ、さらにその塵埃は傾斜面３０３Ｃによって排出開口８４Ｋへ落とされて排出される。この排出開口８４Ｋに落とされた塵埃は連通部材４０３を介して塵埃分離部５２の導入孔１５３Ｂから分離室部５４内へ戻される。
【００７３】
そして、プリーツフィルタ体１００の回転により掃出部材３０３が図１６に示す位置にくると、マイクロスイッチＳ１がプリーツフィルタ体１００の円筒部１１０の大径部１１０Ｂの検知から小径部１１０Ａの検知へと切り替わり、これによりモータＭの駆動が停止される。そして、掃出部材３０３が図１６に示す位置に移動すると、掃出部材３０３の第２摺接部３０３Ｂによる閉塞蓋４５０の突起４５０Ａの押圧が解除され、閉塞蓋４５０がスプリング４０１の付勢力により排出開口８４Ｋを閉塞する。
【００７４】
モータＭの駆動中、すなわち閉塞蓋４５０によって排出開口８４Ｋが閉塞されるまでの間、手元操作管１３の操作部１３Ａのスイッチ１３ａを操作しても電動送風機２４は駆動されない。これにより、塵埃分離部５２の分離室部５４内へ排出された塵埃が排出開口８４Ｋから吸引されて再度プリーツフィルタ１０４に付着してしまうことが防止される。
【００７５】
手元操作管１３の操作部１３Ａのスイッチ１３ａが操作されると、電動送風機２４が駆動される。この電動送風機２４の駆動により、電動送風機２４の吸込開口２４Ａから空気が吸い込まれて、接続風路部２５を介して集塵ユニット５０の収納ケース８１内に負圧が作用し、さらに吸引風路部５６を介して集塵ケース部７４内や塵埃分離部５２の分離室部５４に作用する。そして、その負圧が案内風路管５７を介して集塵ホース１２、延長管１４及び吸込口体１５に作用し、吸込口体１５から空気と共に塵埃が吸引されていく。
【００７６】
この吸引された塵埃及び空気が延長管１４及び集塵ホース１２を介して集塵ユニット５０の吸込接続口５７ａへ吸引されていく。この吸込接続口５７ａへ吸引された塵埃及び空気は案内風路管５７を通って塵埃分離部５２の分離室部５４内へ導入され、この分離室部５４内では図２３において反時計回りに回転していく。
【００７７】
そして、この回転により塵埃と空気が慣性により分離され、空気が塵埃分離手段５５のネットフィルタＮＦ１（図１０参照）や開口１５４ＢのネットフィルタＮＦ２を通り、さらに吸引風路部５６を通ってフィルタ部８０の収納ケース８１内へ吸引されていく。
【００７８】
他方、分離された塵埃は、慣性力によって分離室部５４の導入開口５３Ａから集塵部７０の連通ケース部７２内へ一部の空気と共に導入される。この導入された塵埃及び空気は連通ケース部７２の連通路７１を通って集塵室７３へ吸引されていき、塵埃は集塵室７３に集塵されていく。
【００７９】
集塵室７３へ吸引された空気は、ネットフィルタＮＦ３及びカバー板１７０の下部の開口１７０Ａを通って吸引風路部５６に吸引され、さらにフィルタ部８０の収納ケース８１内へ吸引されていく。
【００８０】
このとき、ネットフィルタＮＦ３を通過する空気に乗った細塵が、ネットフィルタＮＦ３に捕集され、このネットフィルタＮＦ３に付着することとなる。
【００８１】
ここで、ネットフィルタＮＦ３は、所定距離離間した位置にカバー板１７０によって覆われていると共に、カバー板１７０の下部に開口１７０Ａが形成されていることにより、ネットフィルタＮＦ３の下部に多くの空気が流れる。このため、ネットフィルタＮＦ３の下側から塵埃が付着し、目詰まりが生じるようになる。これにより、塵埃を集塵室７３の下側から順により多く蓄積することができる。
【００８２】
なお、集塵室７３内の塵埃は、ネットフィルタＮＦ３に付着した塵埃と一体的に絡み合った状態で蓄積される。
【００８３】
収納ケース８１内へ吸引された空気は、プリーツフィルタ体１００のプリーツフィルタ１０４を通って掃除機本体１１の接続風路部２５へ吸引され、さらに電動送風機２４の吸込開口２４Ａへ吸引されていく。
【００８４】
電動送風機２４の吸込開口２４Ａへ吸引された空気は電動送風機２４内を通って図２に示す掃除機本体１１の排気口２０Ｈから排気されていく。
【００８５】
掃除が終了したら、操作部１３Ａの操作スイッチ１３ａを操作して電動送風機２４の駆動を停止させる。この電動送風機２４の駆動が停止されると、図２１に示す制御装置２００がモータＭを駆動させる。モータＭの駆動により駆動ギアＧａが回転してプリーツフィルタ体１００が回転していく。
【００８６】
このプリーツフィルタ体１００の回転により、収納ケース８１の前壁部８４の突起８８がプリーツフィルタ１０４の山部１０４Ａの突出部１０４Ａｂに当たって、プリーツフィルタ１０４に振動が与えられていき、プリーツフィルタ１０４に付着した塵埃が振り落とされていく。この塵埃は収納ケース８１の塵埃受部８６に溜まっていく。
【００８７】
突起８８は、プリーツフィルタ体１００の回転中心より下側に設けられているので、プリーツフィルタ体１００の下側部分のプリーツフィルタ１０４に大きな振動が与えられることになる。このため、その下側部分のプリーツフィルタ１０４から塵埃が振り落とされてそのまま塵埃受部８６へ落ちていき、この落下の途中で再度プリーツフィルタ１０４に付着してしまうことがなく、このため効率よく塵埃を落とすことができる。
【００８８】
他方、プリーツフィルタ体１００と共に掃出体３００が回転していき、掃出体３００の掃出部材３０３の第１摺接部３０３Ａが収納ケース８１の塵埃受部８６の内周面を摺接移動していく。この摺接移動により、塵埃受部８６に溜まった塵埃が掻き上げられながら塵埃受部８６の周面上に沿って上に押し上げられていき、そして、掃出部材３０３が排出開口８４Ｋの位置にくると、上述のようにして排出開口８４Ｋが開成されて（図２２参照）、その押し上げられた塵埃が排出開口８４Ｋへ排出され、連通部材４０３を介して塵埃分離部５２の分離室部５４内へ戻される。
【００８９】
そして、プリーツフィルタ体１００が例えば１回転して、掃出部材３０３が図１６の位置にくると、マイクロスイッチＳ１がプリーツフィルタ体１００の円筒部１１０の大径部１１０Ｂの検知から小径部１１０Ａの検知へと切り替わり、これによりモータＭの駆動が停止され、プリーツフィルタ体１００の回転が停止される。そして、上述のように排出開口８４Ｋが閉塞蓋４５０により閉塞される。
【００９０】
また、掃出体３００の掃出部材３０３が排出開口８４Ｋを開成したときに電源プラグをコンセントから引き抜いた場合、モータＭの駆動が停止され、排出開口８４Ｋは開成されたままとなってしまう。
【００９１】
しかし、上述のように、この電気掃除機１０は、電源プラグをコンセントに接続すると、モータＭを駆動してプリーツフィルタ体１００を回転させ、そして掃出部材３０３が図１６で示す位置にくると、モータＭの駆動を停止させて掃出部材３０３を図１６の位置に停止させるようになっている。
【００９２】
そのため、排出開口８４Ｋは閉塞蓋４５０によって閉塞され、この後電動送風機２４を駆動させることができるから、塵埃分離部５２の分離室部５４へ戻した塵埃を排出開口８４Ｋから吸引してしまうという不具合は防止される。
【００９３】
さらに、塵埃受部８６に溜まった塵埃は掃出部材３０３の回転移動により、排出開口８４Ｋから連通部材４０３を介して塵埃分離部５２の分離室部５４内へ戻されるものであるから、プリーツフィルタ１０４用の専用の集塵部を集塵部ユニット４１０に設けなくてもよい。
【００９４】
長期間の使用により、プリーツフィルタ１０４に目詰まりが生じた場合には、塵埃分離ユニット４００を掃除機本体１１から取り外してプリーツフィルタ１０４を清掃する。
【００９５】
塵埃分離ユニット４００の取り外しは、先ず本体ケース２０から集塵部ユニット４１０を取り外した後に行うが、駆動ギアＧａがプリーツフィルタ体１００のギア１０７の回転中心位置より下側位置となるように設定することにより、駆動ギアＧａが邪魔になることなく、塵埃分離ユニット４００を上に持ち上げるだけで、プリーツフィルタ体１００のギア１０７は駆動ギアＧａから外れる。このため、塵埃分離ユニット４００を掃除機本体１１の集塵ユニット室２２から簡単に取り外すことができる。
【００９６】
また、塵埃分離ユニット４００の装着の際にも、この塵埃分離ユニット４００を集塵ユニット室２２の上から挿入すれば、駆動ギアＧａが邪魔になることなく、プリーツフィルタ体１００のギア１０７が駆動ギアＧａに噛合して、塵埃分離ユニット４００を集塵ユニット室２２に簡単に装着することができる。
【００９７】
そして、集塵ケース部７４の集塵室７３内に蓄積された塵埃を廃棄するには、まず本体ケース２０の前端部に設けられたレバーＲ（図２参照）を押圧する。レバーＲが押圧されることにより、集塵部ユニット４１０と本体ケース２０との図示しない係止手段が解除され、集塵部ユニット４１０が上方に持ち上がる。
【００９８】
そして、蓋ケース２１Ｂの下側に手を差し込み、集塵部ユニット４１０を本体ケース２０の集塵ユニット室２２から引き出して取り外す。
【００９９】
次に、集塵部ユニット４１０の蓋体７７が下側（鉛直下方）に向くように集塵部ユニット４１０全体を傾ける。これにより、ケース部１７４と蓋体７７とを分割する分割面がほぼ水平になる。
【０１００】
この状態で蓋ケース２１Ｂに設けた解除ボタン２１Ｂａを操作すると、図示しないフックの係止が解除され、蓋体７７が自重によって軸部７７Ｊ回りに回動して開成する。これにより、集塵室７３内に蓄積された塵埃が落下し、廃棄することができる。
【０１０１】
このとき、集塵室７３内に蓄積された塵埃は、ネットフィルタＮＦ３に付着した塵埃と一体的に絡み合っていると共に、蓋体７７の内面に付着した塵埃とも一体になっている。そのため、蓋体７７が軸部７７Ｊ回りに回動してケース部１７４から離間していくことによって、ネットフィルタＮＦ３に付着した塵埃が引っ張られ、ネットフィルタＮＦ３から剥離する。
【０１０２】
これにより、ネットフィルタＮＦ３に付着した塵埃を容易に除去することが可能となる。
【０１０３】
さらに、ネットフィルタＮＦ３が設けられたケース部１７４の左側壁部７４Ａと、分割面Ｘとがそれぞれ上下方向に延びると共に、ネットフィルタＮＦ３と分割面Ｘとが対向しているので、ネットフィルタＮＦ３が塵埃を廃棄する開口である開口７６のほぼ正面に位置することができる（図１３参照）。
【０１０４】
そのため、ネットフィルタＮＦ３に付着した塵埃を掻き出しやすくなり、このネットフィルタＮＦ３に付着した塵埃をさらに容易に除去することができる。
【０１０５】
そして、この集塵部ユニット４１０では、蓋体７７の左右方向の幅が集塵ケース部７４の左右方向の幅の１／２以上に設定されており、ケース部１７４と蓋体７７とを分割する分割面ＸがネットフィルタＮＦ３の近傍に位置して、蓋体７７の他側面である蓋板部７７Ｅと分割面Ｘとの間隔は、ケース部１７４の一側面である左側壁部７４Ａと分割面Ｘとの間隔よりも大きくなっている。
【０１０６】
これにより、集塵室７３内に蓄積される塵埃を、ケース部１７４側よりも蓋体７７側に大量に蓄積することができる。そのため、蓋体７を開成することで落下する塵埃量が多くなり、ネットフィルタＮＦ３に付着した塵埃を強い力で引っ張ることができてさらにネットフィルタＮＦ３から剥離しやすくなる。そして、ネットフィルタＮＦ３に付着した塵埃を効率よく除去することが可能となる。
【０１０７】
さらに、蓋体７７の分割面Ｘと交差する面である側壁部７７Ｂ、７７Ｃの内面側に上下方向に沿って延びる突起Ｔが設けられているので、この突起Ｔに集塵室７３内に蓄積された塵埃が引っかかりやすくなり、側壁部７７Ｂ、７７Ｃと塵埃との摩擦力を高めることができる。
【０１０８】
そのため、集塵室７３内の塵埃が落下する際に、ネットフィルタＮＦ３に付着した塵埃をさらに強い力で引っ張ることができ、塵埃をネットフィルタＮＦ３からさらに剥離することが可能となる。
【０１０９】
また、突起Ｔが上下方向に沿って延びているので、蓋体７７の回動方向に対してほぼ直交する方向に延在されることとなる。そのため、側壁部７７Ｂ、７７Ｃと塵埃との摩擦力をより高めることが可能となり、ネットフィルタＮＦ３に付着した塵埃をさらに強い力で引っ張ることができる。
【０１１０】
以上、この発明にかかる実施の形態の一つを図面により詳述してきたが、具体的な構成は上述の実施の形態に限らない。この発明の要旨を逸脱しない範囲の設計の変更等はこの発明に含まれる。
【０１１１】
例えば、上記実施例では、突起Ｔが上下方向に沿って延びているがこれに限らず、蓋体７７の開口部付近か蓋板部７７Ｅ付近に向かって斜めになるように延びていてもよいし、多数のイボ形状を呈していてもよい。
【０１１２】
また、排出開口８４Ｋから排出される塵埃を塵埃分離部５２の分離室部５４内へ戻しているが、これに限らず、例えば塵埃分離部５２の上流となる案内風路管５７へ戻してもよい。
【０１１３】
また、上記実施例では、プリーツフィルタ体１００を回転させることにより、プリーツフィルタ１０４に付着した塵埃を落としているが、これに限らずプリーツフィルタ体１００を回転させずにプリーツフィルタ１０４に振動を与えて塵埃を落とすようにしたものであってもよい。
【０１１４】
上記実施例は、キャニスタ型のタイプの電気掃除機について説明したが、アップライト式の電気掃除機や、手元操作管等に塵埃分離ユニットを取り付ける電気掃除機に適用することもできる。
【図面の簡単な説明】
【０１１５】
【図１】この発明に係る電機掃除機の外観を示した斜視図である。
【図２】図１に示す掃除機本体の構成を示した縦断面図である。
【図３】集塵ユニットを取り外した掃除機本体を示した斜視図である。
【図４】図３に示す掃除機本体の縦断面斜視図である。
【図５】集塵ユニットを取り外した掃除機本体の縦断面図である。
【図６】集塵ユニットの外観を示した斜視図である。
【図７】図６に示す集塵ユニットの横断面図である。
【図８】図６に示す集塵ユニットの他の方向から見た斜視図である。
【図９】塵埃分離ユニットの外観を示した斜視図である。
【図１０】収納ケースの前壁部と塵埃分離部とダクトを示した概念図である。
【図１１】集塵部ユニットの外観を示した斜視図である。
【図１２】図１１の集塵部ユニットを他の方向から見た斜視図である。
【図１３】蓋体を外した集塵部ユニットを示した斜視図である。
【図１４】蓋体を示した斜視図である。
【図１５】図１１の集塵部ユニットの平面図である。
【図１６】収納ケースと掃出体を示した説明図である。
【図１７】プリーツフィルタ体を示した側面図である。
【図１８】図１７に示すプリーツフィルタ体の円筒部の形状を示した説明図である。
【図１９】掃出体を示した正面図である。
【図２０】図１９に示した掃出体の斜視図である。
【図２１】電気掃除機の制御系の構成を示したブロック図である。
【図２２】掃出部材によって排出開口が開成された状態を示した説明図である。
【図２３】塵埃分離部を示した斜視図である。
【符号の説明】
【０１１６】
１０          電気掃除機
１１          掃除機本体
２４          電動送風機
７４          集塵容器（集塵ケース部）
７４Ａ        一側面（左側壁部）
１７４        第一集塵容器部（ケース部）
７７          第二集塵容器部（蓋体）
７５          排気開口（接続開口）
ＮＦ３        集塵フィルタ（ネットフィルタ）
Ｘ            分割面
【図１】
2007054453.tif 000003
【図２】
2007054453.tif 000004
【図３】
2007054453.tif 000005
【図４】
2007054453.tif 000006
【図５】
2007054453.tif 000007
【図６】
2007054453.tif 000008
【図７】
2007054453.tif 000009
【図８】
2007054453.tif 000010
【図９】
2007054453.tif 000011
【図１０】
2007054453.tif 000012
【図１１】
2007054453.tif 000013
【図１２】
2007054453.tif 000014
【図１３】
2007054453.tif 000015
【図１４】
2007054453.tif 000016
【図１５】
2007054453.tif 000017
【図１６】
2007054453.tif 000018
【図１７】
2007054453.tif 000019
【図１８】
2007054453.tif 000020
【図１９】
2007054453.tif 000021
【図２０】
2007054453.tif 000022
【図２１】
2007054453.tif 000023
【図２２】
2007054453.tif 000024
【図２３】
2007054453.tif 000025